(57)【特許請求の範囲】
【請求項１】
同一寸法の表紙片、中綴じ紙片、裏表紙片をこの順に重ね合わせ、各紙片の一端縁を綴じ部として接着剤を介して綴じ合わせてなる冊子状物であって、
前記表紙片と前記中綴じ紙片の前記綴じ部側の辺と対向する辺に、その紙片の一部を所定の形状で切り欠いた切り欠き部が、それぞれ重ならない状態で設けられ、
前記中綴じ紙片の表面であって、前記表紙片と重なる領域に剥離可能な擬似接着剤層が、前記各紙片の一端部を綴じ部とする接着剤と重ならないように間隔を置いて、かつ表紙片の前記切り欠き部を除いて形成され、前記表紙片が前記中綴じ紙片から剥離可能な状態で接着され、更に前記裏表紙片の表面であって、前記中綴じ紙片と重なる領域に剥離可能な擬似接着剤層が、前記各紙片の一端部を綴じ部とする接着剤と重ならないように間隔を置いて、かつ中綴じ紙片の前記切り欠き部を除いて形成され、前記中綴じ紙片が前記裏表紙片から剥離可能な状態で接着されている冊子状物において、前記双方の擬似接着剤層が、シリコーンを添加した紫外線硬化型オフセットインキとアクリル系エマルジョン型接着剤の構成、またはパラフィンワックスを添加したアクリル酸エステル系樹脂からなるものであることを特徴とする冊子状印刷物。
【請求項２】
前記切り欠き部が、該切り欠き部の内側部分に親指を差し込んで、重ね合わされた紙片の下側に位置している紙片を押し込むことが可能な先端が半円状である帯状の切り欠き形状からなることを特徴とする請求項１記載の冊子状物。
【請求項３】
前記切り欠き部で切り欠かれた部分に対して、下側に重ね合わされている紙片の表面領域に見出し情報が表示されていることを特徴とする請求項１又は２に記載の冊子状物。
【請求項４】
前記剥離可能な擬似接着剤層が、前記中綴じ紙片の上面の周縁部分と、前記裏表紙片の上面の周縁部分と、に設けられていることを特徴とする請求項１から３のいずれか１項記載の冊子状物。
【請求項５】
請求項１〜４いずれか１項記載の冊子状物の表紙片の表面に宛先記載部を有することを特徴とする冊子状送付物。
【発明の詳細な説明】
【技術分野】
【０００１】
本発明は、冊子の状態で流通可能な冊子状物、特に当該冊子状物を送付物として利用した場合、受け取った顧客が容易に開封することができる冊子状物および冊子状送付物に関する。
【背景技術】
【０００２】
従来、商品の内容を記載した冊子は、種々の業界で広く利用されている。
例えば通信会社では顧客に新製品の紹介として利用したり、通販会社等では過去に製品を購入した顧客等に対してダイレクトメールを送ったりすることに利用されている。
特にダイレクトメールを利用する際に重要な点として開封率をアップさせることがあげられる。
ダイレクトメールの場合、顧客が要求していない送付物を送ることが多いため、まず、顧客は内容も見ずに廃棄する傾向があるため、第一段階として封筒を開けてもらい、内容を見てもらうことが重要となり、開封率をアップさせるような工夫が求められている。
【０００３】
開封率を上げるための技術として、例えば圧着式のハガキ（参考文献１を参照。）等が利用されており、郵送物を容易に開封できることから、開封率の向上が期待されるが、２枚のシートが貼り合わされた状態であるため、紙面の制約があり、例えば、申込書、払込票返信ハガキ、カタログ等を同封し、送りたい場合等には使用することができないという問題がある。
【０００４】
また、紙面を増やし、容易に開封可能な冊子状送付物として例えば参考文献２〜４に記載されているような技術があるが、参考文献２は冊子の上端と下端が接着されていないため、冊子内に個人情報などが記載されている場合、盗み見られる可能性があるという問題がある。
更に参考文献３、４では、二つ折りされる表紙片および裏表紙片の間に小冊子本体を挟み込んで取り付けるために、中綴じ用の金具を設けて綴じ合わせる手間が生じたり、また二つ折りされる表紙片および裏表紙片の間に小冊子本体を挟み込んで取り付ける中綴じ工程を行うための高価な製造設備が必要であるなどの問題がある。
【先行技術文献】
【特許文献】
【０００５】
【特許文献１】特開平１０−２６４５５７号公報
【特許文献２】特開２００６−２７２９５５号公報
【特許文献３】特開平９−３９４５０号公報
【特許文献４】特開平７−２７７３４４号公報
【発明の概要】
【発明が解決しようとする課題】
【０００６】
そこで、本発明は、上記の課題に鑑みてなされたものであり、開封率をアップさせる効果を持ち、冊子に印字された個人情報等のセキュリティ性も優れ、廃棄時に分別する必要もなく、必要な頁数のみにより構成することができ、簡単な製造設備により製造できる冊子状物ならびに冊子状送付物を提供することを目的とする。
【課題を解決するための手段】
【０００７】
本発明の冊子状物は、同一寸法の表紙片、中綴じ紙片、裏表紙片をこの順に重ね合わせ、各紙片の一端縁を綴じ部として接着剤を介して綴じ合わせてなる冊子状物であって、
前記表紙片と前記中綴じ紙片の前記綴じ部側の辺と対向する辺に、その紙片の一部を所定の形状で切り欠いた切り欠き部が、それぞれ重ならない状態で設けられ、
前記中綴じ紙片の表面であって、前記表紙片と重なる領域に剥離可能な擬似接着剤層が、前記各紙片の一端部を綴じ部とする接着剤と重ならないように間隔を置いて、かつ表紙片の前記切り欠き部を除いて形成され、前記表紙片が前記中綴じ紙片から剥離可能な状態で接着され、更に前記裏表紙片の表面であって、前記中綴じ紙片と重なる領域に剥離可能な擬似接着剤層が、前記各紙片の一端部を綴じ部とする接着剤と重ならないように間隔を置いて、かつ中綴じ紙片の前記切り欠き部を除いて形成され、前記中綴じ紙片が前記裏表紙片から剥離可能な状態で接着されている冊子状物において、前記双方の擬似接着剤層が、シリコーンを添加した紫外線硬化型オフセットインキとアクリル系エマルジョン型接着剤の構成、またはパラフィンワックスを添加したアクリル酸エステル系樹脂からなるものであることを特徴とする。
【０００８】
また、本発明の冊子状物は、前記切り欠き部が、該切り欠き部の内側部分に親指を差し込んで、重ね合わされた紙片の下側に位置している紙片を押し込むことが可能な先端が半円状である帯状の切り欠き形状からなることを特徴とする。
【０００９】
更に、本発明の冊子状物は、前記切り欠き部で切り欠かれた部分に対して、下側に重ね合わされている紙片の表面領域に見出し情報が表示されていることを特徴とする。
【００１０】
また、本発明の冊子状物は、前記剥離可能な擬似接着剤層が、前記中綴じ紙片の上面の周縁部分と、前記裏表紙片の上面の周縁部分と、に設けられていることを特徴とする。
【００１１】
更に、本発明の冊子状送付物は、上記記載の冊子状物の表紙片の表面に宛先記載部を有することを特徴とする。
【発明の効果】
【００１２】
したがって、本発明の冊子状物ならびに冊子状送付物は、個人情報等を有するカタログ、広告、申込書等が一体化した冊子状のダイレクトメールとして使用することができ、そして、顧客のニーズに合わせた頁数を設定することができ、金属等の金具を使用しないことにより分別の必要がないうえ、個人情報がある場合にも郵送中に個人情報を見られることなく郵送用封筒として使用することにより大量の情報を安価に郵送することができ、重ね合わされた紙片が剥離可能な接着剤で剥離可能に接着されているので、開封率をアップさせる効果を持ち、冊子に印字された個人情報等のセキュリティ性も優れ、必要な頁数のみにより構成することができ、廃棄時に分別する必要がないという効果がある。
また、冊子状送付物の受取人が、切り欠き部から順番に各頁を見開くことができる。
【００１３】
また、本発明の冊子状物ならびに冊子状送付物は、切り欠き部が、該切り欠き部の内側部分に親指を差し込んで、重ね合わされた紙片の下側に位置している紙片を押し込むことが可能な半円状を有する形状からなるので、冊子状送付物の受取人が見開く際でも親指で簡単に見開くことができ、開封率をアップさせる効果を有する。
【００１４】
更に、本発明の冊子状物ならびに冊子状送付物は、切り欠き部で切り欠かれた部分に対して、下側に重ね合わされている紙片の表面領域に見出し情報が表示されているので、冊子状送付物の受取人に対して、その頁にどのような内容が表示されているのかといった情報をまず提供することができ、開封率をアップさせる効果を有する。
【００１５】
また、本発明の冊子状物ならびに冊子状送付物は、前記剥離可能な擬似接着剤層が、前記中綴じ紙片の上面の周縁部分と、前記裏表紙片の上面の周縁部分と、に設けられているので、表紙片と中綴じ紙片を簡単に剥離することができるという効果がある。
【図面の簡単な説明】
【００１６】
【図１】本発明の実施形態に係る冊子状送付物の斜視図である。
【図２】図１のＡ−Ａ線断面図である。
【図３】本発明の実施形態に係る冊子状送付物において、その冊子状送付物の構成を説明するための図であり、（ａ）は表紙片の平面図、（ｂ）は中綴じ紙片の平面図、（ｃ）は裏表紙片の平面図、（ｄ）は冊子状送付物を構成する３紙片を分離させた状態を示す斜視図である。
【図４】本発明の実施形態に係る冊子状送付物において、表紙片を中綴じ紙片からめくり上げた状態を示す斜視図である。
【図５】本発明の他の実施形態に係る冊子状送付物において、冊子状送付物を構成する表紙片と中綴じ紙片と裏表紙片の３紙片を分離させた状態を示す平面図である。
【発明を実施するための形態】
【００１７】
以下、本発明の実施形態に係る冊子状物、特に当該冊子状物へ宛名記載部を設けた冊子状送付物を図面に基づいて詳細に説明する。
図１及び図２に示すように、本発明の実施形態に係る冊子状送付物１は、略同一寸法を有する表紙片２と中綴じ紙片３と裏表紙片４とが上から順番に重ね合わされ、前記中綴じ紙片３と前記裏表紙片４の一方の端縁に沿って塗布された接着剤５ａ，５ｂによって接着され綴じ合わされている綴じ部５を有している。
【００１８】
図４に示すように、表紙片２と中綴じ紙片３の綴じ部５側の辺と対向する辺には、その紙片の一部を所定の形状で切り欠いた切り欠き部６ａ，６ｂが、それぞれ重ならない状態で設けられている。
この切り欠き部６ａ，６ｂは、該切り欠き部の内側部分に親指を差し込んで、重ね合わされた紙片の下側に位置している紙片を押し込むことが可能な半円状を有する形状からなる。
これにより、冊子状送付物の受取人が見開く際でも、切り欠き部６ａ，６ｂの内側部分に親指を差し込んで、重ね合わされた紙片の下側に位置している紙片を押し込むことで親指により簡単に見開くことができ、開封率をアップさせることが期待できる。
【００１９】
また、切り欠き部６ａ，６ｂで切り欠かれた部分に対して、下側に重ね合わされている紙片の表面領域には見出し情報７ａ，７ｂが表示されている。
この見出し情報により、冊子状送付物１の受取人に対して、その頁にどのような内容が表示されているのかといった情報をまず提供することができるようになっており、冊子状送付物１をダイレクトメールなどとして用いる場合には、見出し情報で興味をもってもらうようにすることで開封率をアップさせることが期待できる。
【００２０】
表紙片２及び裏表紙片４に使用する材料としては、例えば、上質紙、コート紙、複写用紙、クラフト紙等、合成紙、ＰＥＴ、ＰＰ等があり、特に限定されないが、擬似接着部を構成する材料との相性及び冊子状送付物の用途により適宜選択することができる。
また、中綴じ紙片３に使用する材料としても、上質紙、コート紙、複写用紙、クラフト紙等、合成紙、ＰＥＴ、ＰＰ等があるが、それらに特に限定されず、用途に合わせて適宜選択することができる。
【００２１】
次に、冊子状送付物１の中綴じ紙片３の表面であって、表紙片２と重なる領域には剥離可能な擬似接着剤層８ａが形成されている。
これにより、表紙片２が中綴じ紙片３から剥離可能な状態で接着されている。
更に、裏表紙片４の表面であって、中綴じ紙片３と重なる領域には剥離可能な擬似接着剤層８ｂが形成されている。
これにより、中綴じ紙片３が裏表紙片４から剥離可能な状態で接着されている。
尚、剥離可能な擬似接着剤層８ａは、表紙片２の裏面側に設けてもよく、また剥離可能な擬似接着剤層８ｂは、中綴じ紙片３の裏面側に設けてもよい。
【００２２】
剥離可能な擬似接着剤層８ａ，８ｂに使用する接着剤としては、例えば、シリコーンを添加した紫外線硬化型オフセットインキとアクリル系エマルション型接着剤の構成や、鉱油を添加したエステル系樹脂、パラフィンワックスを添加したアクリル酸エステル系樹脂などを使用することができる。
いずれにしても、冊子状送付物１を構成する表紙片２、中綴じ紙片３、裏表紙片４が、郵送中に剥離することなく接着状態にあり、開封時に材破することなく接着部分から剥離させて開封できる構造となっていればよい。
【００２３】
また、中綴じ紙片３と裏表紙片４の一方の端縁に沿って塗布された接着剤５ａ，５ｂを構成する材料としては、アクリル系樹脂、酢酸ビニル系樹脂、ＥＶＡ系樹脂、ウレタン系樹脂などのエマルジョン接着剤などを使用することができる。
【００２４】
次に、本発明の実施形態に係る冊子状送付物１の使用方法について説明する。
冊子状送付物１を送る場合には、図１及び図２に示すように、表紙片２と中綴じ紙片３と裏表紙片４とが、剥離可能な擬似接着剤層８ａ，８ｂにより擬似接着された状態で送付する。
【００２５】
そして、冊子状送付物１の受取人は、図４に示すように、まず表紙片２の半円状を有する形状からなる切り欠き部６ａの内側部分に親指を差し込んで、重ね合わされた紙片の下側に位置している中綴じ紙片３を押し込むことで、表紙片２を中綴じ紙片３から剥離させて見開く。
これにより、まず表紙片２の裏面側と中綴じ紙片３の表面側に表示されている内容情報を見たり読んだりすることができる。
次に、図４に示すように、中綴じ紙片３の半円状を有する形状からなる切り欠き部６ｂの内側部分に親指を差し込んで、重ね合わされた裏表紙片４を押し込むことで、裏表紙片４から中綴じ紙片３を剥離させて見開く。
これにより、中綴じ紙片３の裏面側と裏表紙片４の表面側に表示されている内容情報を見たり読んだりすることができる。
【００２６】
上記のように、冊子状送付物１では、上側に重ねられている紙片の切り欠き部の内側部分に親指を差し込んで、重ね合わされた紙片の下側に位置している紙片を押し込むことで、上側から順番に紙片を剥離させながら各頁を見開くことができるように構成されている。
また、この剥離可能な擬似接着剤層８ａ，８ｂは、一旦剥離させた後には簡単に接着できない接着剤を用いているので、受取人以外の者が不正に剥離した場合には、剥離させたことがわかるので不正行為があったことを簡単に知ることもできる。
【００２７】
尚、上記の実施形態では、冊子状送付物１に１枚の中綴じ紙片３を設けた場合について説明したが、必要に応じて複数枚の中綴じ紙片３を重ねて設けることができる。
また、これらの中綴じ紙片３を申込書や振込用紙などとして用いることもできる。
【００２８】
また、上記の実施形態では、剥離可能な擬似接着剤層８ａ，８ｂを中綴じ紙片３と裏表紙片４の上面側の略全面に設けた場合について説明したが、他の実施形態として、図５に示すように、中綴じ紙片３と裏表紙片４の表面の所定部分に剥離可能な擬似接着剤層８ａ，８ｂを設けることもできる。
【００２９】
図５に示す他の実施形態では、剥離可能な擬似接着剤層８ａ，８ｂが、中綴じ紙片３の上面の周縁部分と、裏表紙片４の上面の周縁部分と、に設けられている。
このように剥離可能な擬似接着剤層８ａ，８ｂは、冊子状送付物１の各紙片が一時的に接着された状態を保持して、その受取人が各紙片をめくり上げて開封することが可能であれば様々な部分に設けることができ、上記の他にも、剥離可能な擬似接着剤層８ａ，８ｂをコ字状に設けたり、ドット状に設けたりすることもできる。
【００３０】
また、複数枚設けた中綴じ紙片３の一部に返信用の葉書用紙片を設けて、切り取りミシンを形成することでその葉書用紙片を切り離せるような構成としてもよい。
上記のように、本願発明の冊子状送付物は、郵送時には重ね合わされた紙片が接着状態で一体化した送付物として送ることができ、またその受取人が開封する際にも、剥離可能な接着剤で接着されている部分から簡単に剥離できるように構成されている。
【符号の説明】
【００３１】
１  冊子状送付物
２  表紙片
３  中綴じ紙片
４  裏表紙片
５  綴じ部
５ａ，５ｂ  接着剤
６ａ，６ｂ切り欠き部
７ａ，７ｂ  見出し情報
８ａ，８ｂ  剥離可能な擬似接着剤層
９  宛先情報記載部
【図１】
0005764894.tif 000002
【図２】
0005764894.tif 000003
【図３】
0005764894.tif 000004
【図４】
0005764894.tif 000005
【図５】
0005764894.tif 000006